(57)【要約】      （修正有）【課題】テレビジョンチューナの端子数を減らして小型化にすると共に、テレビジョンチューナとテレビジョン受信機本体との接続を簡素化する。【解決手段】受信したテレビジョン信号から変換された中間周波信号を外部に出力するための中間周波出力端子１ｂと、外部から供給された高電圧を同調電圧に変換して内部の同調回路に供給する選局用のＰＬＬ回路７とを備え、中間周波出力端子１ｂとＰＬＬ回路７の高電圧入力端とを第１の抵抗８によって接続した。【選択図】図１
0003105565.tif 000002
【実用新案登録請求の範囲】
【請求項１】
受信したテレビジョン信号から変換された中間周波信号を外部に出力するための中間周波出力端子と、外部から供給された高電圧を同調電圧に変換して内部の同調回路に供給する選局用のＰＬＬ回路とを備え、前記中間周波出力端子と前記ＰＬＬ回路の高電圧入力端とを第１の抵抗によって接続したことを特徴とするテレビジョンチューナ。
【請求項２】
請求項１に記載のテレビジョンチューナと、前記中間周波出力端子に接続される映像中間周波回路と、前記高電圧を出力する電源とを備え、前記高電圧を前記中間周波出力端子に供給したことを特徴とするテレビジョン受信機。
【請求項３】
前記映像中間周波回路は前記中間周波出力端子に接続されるＳＡＷフィルタを有し、前記高電圧を第２の抵抗を介して前記中間周波出力端子に供給したことを特徴とする請求項２に記載のテレビジョン受信機。
【請求項４】
前記第２の抵抗の前記電源側端をコンデンサで接地したことを特徴とする請求項３に記載のテレビジョン受信機
【考案の詳細な説明】
【技術分野】
【０００１】
本考案は、テレビジョンチューナ及びこのテレビジョンチューナを備えたテレビジョン受信機に関する。
【背景技術】
【０００２】
従来のテレビジョンチューナを図２に従って説明する。ＵＨＦ回路部２１は、アンテナ入力端子１１に接続された入力同調回路２２、その出力に接続されたＲＦアンプ回路２３、その出力に接続された段間同調回路２４、段間同調回路２４の出力とＯＳＣ回路２５の出力とに接続されたミキサ回路２５によって構成される。ＶＨＦ回路部３１は、アンテナ入力端子１１に接続された入力同調回路３２、その出力に接続されたＲＦアンプ３３、その出力に接続された段間同調回路３４、段間同調回路３４の出力とＯＳＣ回路３６の出力とに接続されたミキサ回路３５によって構成される。
【０００３】
ＵＨＦ部２１にはＵＨＦ用電源端子１４から電源電圧が供給され、ＶＨＦ部３１にはＶＨＦ用電源端子１３から電源電圧が供給される。
【０００４】
ミキサ回路２５、３５の出力はＩＦアンプ１２に接続され、ＩＦアンプ１２の出力はＩＦ出力端子１６に接続される。チューニング端子１５に入力されたチューニング電圧はＯＳＣ回路２６、３６、入力同調回路２２、３２、段間同調回路２４、３４に供給される。そして、希望のチャンネルが入力同調回路２２、３２および段間同調回路２４、３４によって選択され、ＯＳＣ回路２６、３６からの局部発振信号によってミキサで２５、３６で中間周波信号に変換されてＩＦ出力端子１６に出力される。（例えば、特許文献１参照。）。
【０００５】
【特許文献１】特開平１１−２９８３５３号公報（図３）。
【０００６】
ここで、チューニング端子１５には図示しないＰＬＬ回路から供給されるが、ＰＬＬ回路にはチューニング電圧よりも高い高電圧がテレビジョンチューナの外部から供給されており、ＰＬＬ回路はこの高電圧を選局信号に基づいて選局すべきチャンネルに対応したチューニング電圧に変換している。
【考案の開示】
【考案が解決しようとする課題】
【０００７】
テレビジョンチューナには上記に説明したＩＦ出力端子１６、チューニング端子１５、ＵＨＦ用電源端子１４、ＶＨＦ用電源端子１３や、高電圧を受ける端子（図示せず）の他にも多数の端子が設けられているので、小型化が困難であった。
【０００８】
本考案のテレビジョンチューナは、端子の数を減らして小型化にすることを目的とし、また本考案のテレビジョン受信機は、テレビジョンチューナとテレビジョン受信機本体との接続を簡素化することを目的とする。
【課題を解決するための手段】
【０００９】
上記の課題を解決するため、本考案のテレビジョンチューナは、受信したテレビジョン信号から変換された中間周波信号を外部に出力するための中間周波出力端子と、外部から供給された高電圧を同調電圧に変換して内部の同調回路に供給する選局用のＰＬＬ回路とを備え、前記中間周波出力端子と前記ＰＬＬ回路の高電圧入力端とを第１の抵抗によって接続した。
【００１０】
また、本考案のテレビジョン受信機は、請求項１に記載のテレビジョンチューナと、前記中間周波出力端子に接続される映像中間周波回路と、前記高電圧を出力する電源とを備え、前記高電圧を前記中間周波出力端子に供給した。
【００１１】
また、本考案のテレビジョン受信機は、前記映像中間周波回路は前記中間周波出力端子に接続されるＳＡＷフィルタを有し、前記高電圧を第２の抵抗を介して前記中間周波出力端子に供給した。
【００１２】
また、本考案のテレビジョン受信機は、前記第２の抵抗の前記電源側端をコンデンサで接地した。
【考案の効果】
【００１３】
請求項１に記載のテレビジョンチューナによれば、受信したテレビジョン信号から変換された中間周波信号を外部に出力するための中間周波出力端子と、外部から供給された高電圧を同調電圧に変換して内部の同調回路に供給する選局用のＰＬＬ回路とを備え、中間周波出力端子とＰＬＬ回路の高電圧入力端とを第１の抵抗によって接続したので、中間周波出力端子に同調用の電源となる高電圧を印加すれば、専用の端子を設けなくてもＰＬＬ回路に高電圧を供給できる。よって端子数を減らすことが可能となり、小型化が図れる。
【００１４】
請求項２に記載のテレビジョン受信機によれば、請求項１に記載のテレビジョンチューナと、中間周波出力端子に接続される映像中間周波回路と、高電圧を出力する電源とを備え、高電圧を中間周波出力端子に供給したので、テレビジョンチューナとテレビジョン受信機との接続が簡素化できる。
【００１５】
また、請求項３に記載のテレビジョン受信機によれば、映像中間周波回路は中間周波出力端子に接続されるＳＡＷフィルタを有し、高電圧を第２の抵抗を介して中間周波出力端子に供給したので、第２の抵抗によってテレビジョンチューナ側とＳＡＷフィルタとのインピーダンス整合を取ることができる。
【００１６】
さらに、請求項３に記載のテレビジョン受信機によれば、第２の抵抗の電源側端をコンデンサで接地したので、電源に含まれるノイズによって中間周波信号が影響を受けるのを防止できる。
【考案を実施するための最良の形態】
【００１７】
以下、図１に基づいて本考案のテレビジョンチューナ及びテレビジョン受信機を説明する。図１には主要な構成を示す。テレビジョンチューナ１の入力端子１ａに入力されたテレビジョン信号は同調回路２に導かれ、選択されたテレビジョン信号がミキサ３に入力される。
【００１８】
ミキサ３には発振器４から局部発振信号が供給される。テレビジョン信号は局部発振信号と混合されて中間周波信号に変換される。中間周波信号は中間周波同調回路５を介して中間周波増幅器６に供給され、増幅された中間周波信号は中間周波出力端子１ｂに出力される。
【００１９】
同調回路２と発振器４とにはＰＬＬ回路７から同調電圧が供給される。この同調電圧は受信すべきテレビジョン信号の周波数に対応して数ボルトから１０数ボルトの範囲で変化し、同調回路２は受信すべきテレビジョン信号の周波数に同調し、発振器４は受信すべきテレビジョン信号を中間周波数に変換するに必要な周波数で発振する。そのため、ＰＬＬ回路７には発振器４からの局部発振信号が入力される。
【００２０】
また、ＰＬＬ回路７には同調電圧の電源となる高い電圧が必要であるが、その電圧が入力される高電圧入力端７ａが数１０ＫΩの第１の抵抗８を介して中間周波出力端子１ｂに接続される。さらに、ＰＬＬ回路７には上記同調電圧を設定するための選局データが入力されるが、その選局データが入力されるデータ入力端７ｂが選局端子１ｃに接続される。
【００２１】
テレビジョン受信機本体４０側には、テレビジョンチューナ１が装着されるマザー基板（図示せず）が設けられ、そのマザー基板には中間周波信号を処理するための映像中間周波回路４１が構成される。そして、映像中間周波回路４１の初段に設けられたＳＡＷフィルタ４１ａが中間周波出力端子１ｂに結合される。
【００２２】
また、テレビジョン受信機本体８側には、同調電圧の最高値よりも高い高電圧（約３０ボルト）を出力する電源４２が設けられており、この高電圧は第２の抵抗４３を介して中間周波出力端子１ｂに印加される。第２の抵抗４３の電源４２側はコンデンサ４４によって接地される。さらに、テレビジョン受信機本体４０側には、選局手段４５が設けられ、この選局手段４５から出力される選局データが選局端子１ｃに入力される。
【００２３】
以上の構成によれば、電源４２からの高電圧は中間周波出力端子１ｂを介してＰＬＬ回路７に入力されるので、ＰＬＬ７に高電圧を入力するための専用の端子が削減できる。また、テレビジョンチューナ１の端子数が少なくなるので、テレビジョンチューナ１とテレビジョン受信機本体４０側との接続も簡素化出来る。
【００２４】
なお、高電圧は中間周波信号に重畳されるが、直流電圧であるために相互の干渉はない。また、第１の抵抗８の存在によって、中間周波信号がＰＬＬ回路７に漏れることはない。さらに、第２の抵抗４３の抵抗値を適宜に選択することで、中間周波増幅器６とＳＡＷフィルタ４１ａとのインピーダンス整合に寄与する。さらに、第２の抵抗４３とコンデンサ４４とによっれローパスフィルタが構成されるので、電源４２に含まれているノイズ成分が中間周波信号に重畳されることはない。
【図面の簡単な説明】
【００２５】
【図１】本考案のテレビジョンチューナとテレビジョン受信機との主要な構成を示す回路図である。
【図２】従来のテレビジョンチューナの構成を示す回路図である。
【符号の説明】
【００２６】
１：テレビジョンチューナ
１ａ：入力端子
１ｂ：中間周波出力端子
１ｃ：選局端子
２：同調回路
３：ミキサ
４：発振器
５：中間周波同調回路
６：中間周波増幅器
７：ＰＬＬ回路
７ａ：高電圧入力端
７ｂ：データ入力端
８：第１の抵抗
４０：テレビジョン本体
４１：映像中間周波回路
４１ａ：ＳＡＷフィルタ
４２：電源
４３：第２の抵抗
４４：コンデンサ
４５：選局手段
【図１】
0003105565.tif 000003
【図２】
0003105565.tif 000004